(57)【要約】【課題】２方向に夫々異なるパターンの絵図柄を表示することのできる広告表示体において、各パターンの絵図柄を鮮明に表示することのできる広告表示体、及び、その製造方法を提供する。【解決手段】第一方向向きの平面状に形成され、第一パターンの絵図柄が描かれると共に所定間隔で並設された複数の第一表示面２１と、前記第一方向とは異なる第二方向向きの平面状に形成され、前記第一パターンとは異なる第二パターンの絵図柄が描かれると共に前記複数の第一表示面２１の間に配設された第二表示面２２とを有する表示面２０を備え、前記第一表示面２１と前記第二表示面２２との境界部分が、山折形状及び谷折形状を交互に繰り返した形態に構成されていることを特徴とする広告表示体。【選択図】図１
2007086656.tif 000002
【特許請求の範囲】
【請求項１】
第一方向向きの平面状に形成され、第一パターンの絵図柄が描かれると共に所定間隔で並設された複数の第一表示面と、
前記第一方向とは異なる第二方向向きの平面状に形成され、前記第一パターンとは異なる第二パターンの絵図柄が描かれると共に前記複数の第一表示面の間に配設された第二表示面と
を有する表示面を備え、
前記第一表示面と前記第二表示面との境界部分が、山折形状及び谷折形状を交互に繰り返した形態に構成されている
ことを特徴とする広告表示体。
【請求項２】
前記表示面は、折り曲げ可能な素材からなる表示面構成材の表面により構成されており、
前記第一表示面と前記第二表示面との境界部分は、前記表示面構成材を山折または谷折に折り曲げて構成されており、
前記表示面構成材を固定して前記第一表示面の向き及び前記第二表示面の向きを固定する保持台を備える
ことを特徴とする請求項１に記載の広告表示体。
【請求項３】
第一方向向きの平面状に形成され、第一パターンの絵図柄が描かれると共に所定間隔で並設された複数の第一表示面と、
前記第一方向とは異なる第二方向向きの平面状に形成され、前記第一パターンとは異なる第二パターンの絵図柄が描かれると共に前記複数の第一表示面の間に配設された第二表示面と
を有する表示面を備え、
前記第一表示面と前記第二表示面との境界部分が、山折形状及び谷折形状を交互に繰り返した形態に構成されている広告表示体、
の製造方法であって、
折り曲げ可能なシート状の素材からなる表示面構成材の表面に、前記第一パターンの絵図柄と前記第二パターンの絵図柄とを印刷する印刷工程と、
前記第一パターンの絵図柄と前記第二パターンの絵図柄との夫々が印刷された前記表示面構成材における前記第一パターンの絵図柄と前記第二パターンの絵図柄との境界部分を、山折と谷折とを交互に繰り返すように折り曲げて前記表示面を形成する折曲工程と
を備えることを特徴とする広告表示体の製造方法。
【発明の詳細な説明】
【技術分野】
【０００１】
本発明は、写真、絵、文字、記号等の適宜の絵図柄が描かれた表示面を有し、商品や店の宣伝、バーゲンセールや各種催し物の案内等のために店舗内、店頭、展示会会場や街頭等に設置される広告表示体、及び、その製造方法に関するものである。
【背景技術】
【０００２】
写真、絵、文字、記号等の適宜の絵図柄が描かれた表示面を有し、商品や店の宣伝、バーゲンセールや各種催し物の案内等のために店舗内、店頭、展示会会場や街頭等に設置される広告表示体としては、種々のものが案出されているが、中でも、平板状の紙材の表面に波板状の紙材を貼着してなる所謂「段ボール」を、表示面を構成する素材とし、上記波板状の表面において、波の山の一方の面（波の谷の一方の面として捉えることもできる）に、第一パターンの絵図柄を描き、他方の面に、第一パターンとは異なる第二パターンの絵図柄を描いてなる広告表示体がある。このような広告表示体を、正面に対して斜めから見た場合、上記波の山の一方の面側から見ると第一パターンの絵図柄を見ることができ、他方の面側から見ると第二パターンの絵図柄を見ることができる。よって、上記広告表示体は、その表示面において、２方向に夫々異なるパターンの絵図柄を表示することができるものである。
【０００３】
なお、このような広告表示体は、既に広告表示体の製造メーカーから提案がなされているのであるが、本願出願人は、出願時において、上記広告表示体が記載されていることを特定できる特許文献等を特に知見していない。
【発明の開示】
【発明が解決しようとする課題】
【０００４】
しかしながら、上記広告表示体では、波板状の紙材の表面に第一パターンの絵図柄と第二パターンの絵図柄とが描かれていることから、第一パターンの絵図柄と第二パターンの絵図柄との境界部分が不明確であり、第一パターンの絵図柄及び第二パターンの絵図柄を鮮明に表示することができなかった。
【０００５】
また、段ボールを素材として、この素材の表面に第一パターンの絵図柄と第二パターンの絵図柄とを描かなければならないため、絵図柄を描くための手法が限られる。すなわち、絵図柄が描かれる対象物に波板状の大きな凹凸があるため、輪転機や転写版を用いた種々の印刷手法を採用することができず、インクジェットプリントといった印刷手法を採用せざるを得ない。よって、上記広告表示体は、表示面に絵図柄を印刷する上で印刷手法が限定されることから、その製造に際して用いることのできる印刷機械が限定され、製造性に自由度が低いものであった。しかも、インクジェットプリントにて段ボールの波板状側の面に印刷を行うと、印刷対象物の表面がインクジェットのノズルから常時一定の距離とはならないため、印刷ムラや印刷ボケが生じる。よって、印刷された絵図柄自体が不鮮明であり、このことからも、絵図柄を鮮明に表示することができなかった。
【０００６】
本発明は、上記実状を鑑みてなされたものであり、２方向に夫々異なるパターンの絵図柄を表示することのできる広告表示体において、各パターンの絵図柄を鮮明に表示することのできる広告表示体、及び、その製造方法の提供を課題とする。
【課題を解決するための手段】
【０００７】
上記課題を解決するために本発明の採った主要な手段は、まず、広告表示体としては、
「第一方向向きの平面状に形成され、第一パターンの絵図柄が描かれると共に所定間隔で並設された複数の第一表示面と、
前記第一方向とは異なる第二方向向きの平面状に形成され、前記第一パターンとは異なる第二パターンの絵図柄が描かれると共に前記複数の第一表示面の間に配設された第二表示面と
を有する表示面を備え、
前記第一表示面と前記第二表示面との境界部分が、山折形状及び谷折形状を交互に繰り返した形態に構成されている
ことを特徴とする広告表示体」
である。
【０００８】
ここで、「平面の向き」は、平面に対して垂直な軸の方向を示すものである。よって、第一方向向きの第一表示面は、その表面に対して垂直な軸が第一方向に延びるような平面であり、第二方向向きの第二表示面は、その表面に対して垂直な軸が第二方向に延びるような平面である。
【０００９】
上記構成の広告表示体は、この広告表示体を見る者にとって、表示面を第一方向から見ると、第一表示面に描かれた第一パターンの絵図柄を見ることができ、表示面を第二方向から見ると、第二表示面に描かれた第二パターンの絵図柄を見ることができるものであるが、第一表示面と第二表示面との境界部分が山折形状或いは谷折形状となっていることから、第一パターンの絵図柄と第二パターンの絵図柄との境界が明確となる。よって、この広告表示体によれば、表示面に鮮明な絵図柄を表示することができる。
【００１０】
上述した手段において、
「前記表示面は、折り曲げ可能な素材からなる表示面構成材の表面により構成されており、
前記第一表示面と前記第二表示面との境界部分は、前記表示面構成材を山折または谷折に折り曲げて構成されており、
前記表示面構成材を固定して前記第一表示面の向き及び前記第二表示面の向きを固定する保持台を備える
ことを特徴とする広告表示体」
としてもよい。
【００１１】
上記構成の広告表示体では、その表示面が、紙や樹脂シート等の折り曲げ可能な素材からなる表示面構成材を、山折と谷折とを交互に繰り返して折り曲げることにより形成された所謂「蛇腹状」のものとなる。このような表示面では、個々の山折部分及び谷折部分の角度を一定に保ち難く、複数の第一表示面及び複数の第二表示面の向きがバラバラになって、第一方向や第二方向から表示面を見た場合に、第一表示面に描かれた第一パターンの絵図柄や第二表示面に描かれた第二パターンの絵図柄が歪んで見えてしまう虞がある。
【００１２】
そこで、上記構成では、表示面構成材を固定して第一表示面の向き及び第二表示面の向きを固定する保持台を備えることとする。保持台によって第一表示面及び第二表示面の向きを固定することで、複数の第一表示面及び複数の第二表示面の向きが、バラバラにならず、一定に保たれる。よって、上記構成の広告表示体によれば、第一方向や第二方向から表示面を見た場合に、第一表示面に描かれた第一パターンの絵図柄や第二表示面に描かれた第二パターンの絵図柄が歪んで見えることはなく、この点において、表示面に描かれた絵図柄を、より一層鮮明に表示することができる。
【００１３】
なお、保持台に表示面構成材を固定する態様は、表示面構成材の裏面を固着して該表示面構成材を固定する態様や、表示面構成材の表裏を挟持して該表示面構成材を固定する態様等、適宜の態様を採用することができる。また、表示面構成材の裏面を固着する態様は、第一表示面の裏面及び第二表示面の裏面の夫々の全てを固着する態様、第一表示面または第二表示面のうち、一方の裏面を固着する態様、夫々並設された複数の第一表示面及び複数の第二表示面のうち、所定個数ピッチ等、適宜間隔を介して適宜の第一表示面または第二表示面の裏面を固着する態様等、任意である。
【００１４】
次に、広告表示体の製造方法としては、
「第一方向向きの平面状に形成され、第一パターンの絵図柄が描かれると共に所定間隔で並設された複数の第一表示面と、
前記第一方向とは異なる第二方向向きの平面状に形成され、前記第一パターンとは異なる第二パターンの絵図柄が描かれると共に前記複数の第一表示面の間に配設された第二表示面と
を有する表示面を備え、
前記第一表示面と前記第二表示面との境界部分が、山折形状及び谷折形状を交互に繰り返した形態に構成されている広告表示体、
の製造方法であって、
折り曲げ可能なシート状の素材からなる表示面構成材の表面に、前記第一パターンの絵図柄と前記第二パターンの絵図柄とを印刷する印刷工程と、
前記第一パターンの絵図柄と前記第二パターンの絵図柄との夫々が印刷された前記表示面構成材における前記第一パターンの絵図柄と前記第二パターンの絵図柄との境界部分を、山折と谷折とを交互に繰り返すように折り曲げて前記表示面を形成する折曲工程と
を具備することを特徴とする広告表示体の製造方法」
である。
【００１５】
ここで、「印刷」は、狭義では、印刷対象物に絵図柄を版によって転写する手法であるが、本願においては、「印刷」を、版を用いないで絵図柄を描くインクジェットプリントやレーザープリントも含めて広義に定義する。換言すれば、本願において「印刷」とは、絵筆等を用いて手作業で絵図柄を描くのではなく、同じ絵図柄を複写して描くことのできる機械を用いて機械的に絵図柄を描く手法を示す。
【００１６】
山折形状及び谷折形状が交互に繰り返された形態となっている表示面に、一般的な印刷手法によって機械的に絵図柄を描こうとすると、インクジェットプリントによる印刷手法に限定されてしまうのであるが、上記製造方法では、平坦な面となっている表示面構成材の表面に絵図柄を印刷するため、インクジェットプリントの他にも、種々の印刷手法を採用することができる。よって、上記製造方法によれば、用いることのできる印刷機械が限定されず、製造性の自由度を向上させることができる。また、たとえインクジェットプリントといった印刷手法を採用したとしても、印刷対象面が、山折形状や谷折形状といった大きな凹凸がなく平坦であることから、印刷対象面に鮮明な絵図柄を印刷することができる。
【発明の効果】
【００１７】
上述した通り、本発明によれば、２方向に夫々異なるパターンの絵図柄を表示することのできる広告表示体において、各パターンの絵図柄を鮮明に表示することのできる広告表示体、及び、その製造方法を提供することができる。
【発明を実施するための最良の形態】
【００１８】
本発明に係る広告表示体及びその製造方法の実施形態としての一例を、以下、図面に従って詳細に説明する。
【００１９】
図１に、広告表示体１０の一例を示す。この広告表示体１０は、段ボール等により形成された平板状の基台４０と、この基台４０の表面に、上下方向に所定間隔を介して並設されるようにして、基台４０の幅方向に延設された複数の保持台３０と、この保持台３０に裏面が固着され、その表面によって絵図柄を表示する表示面２０を構成する表示面構成材５０とを具備している。ここで、表示面構成材５０の表示面２０は、山折形状及び谷折形状を交互に繰り返した形態となっており、山折形状及び谷折形状を挟んで隣接する二つの面は、一方が第一方向向きの第一表示面２１となっており、他方が第二方向向きの第二表示面２２となっている。換言すれば、表示面構成材５０の表示面２０は、広告表示体１０の幅方向に並設され、夫々第一方向向きの平面状に形成された複数の第一表示面２１と、各第一表示面２１間に配設され、夫々第二方向向きの平面状に形成された複数の第二表示面２２とを具備するものとして構成されている。
【００２０】
第一表示面２１には、第一パターンの絵図柄が描かれており、第二表示面２２には、第二パターンの絵図柄が描かれている。具体的に、本例では、第一表示面２１に「ＳＡＬＥ」といった文字が描かれており、第二表示面２２に「ピエロ」の絵が描かれている。このような広告表示体１０では、表示面２０を見る視点を正面方向に対して左右方向に傾かせていくと、第一表示面２１または第二表示面２２の一方が見えなくなり、他方に描かれた絵図柄のみを明確に見ることができるようになる。具体的には、正面方向（図１（ｂ）における矢印Ｓ０参照）に対して右の斜め方向（図１（ｂ）における矢印Ｓ１参照）から表示面２０を見ると、第二表示面２２が見えず、図２（ａ）に示すように、第一表示面２１に描かれた「ＳＡＬＥ」の文字を明確に見ることができる。逆に、左の斜め方向（図１（ｂ）における矢印Ｓ２参照）から表示面２０を見ると、第一表示面２１が見えず、図２（ｂ）に示すように、第二表示面２２に描かれた「ピエロ」の絵を明確に見ることができる。よって、この広告表示体１０では、正面方向に対して右側に傾く第一方向に向いた第一表示面２１の絵図柄を、第一方向から見る者に表示することができ、正面方向に対して左側に傾く第二方向に向いた第二表示面２２の絵図柄を、第二方向から見る者に表示することができる。
【００２１】
ところで、表示面構成材５０は、紙や樹脂シート等の折り曲げ可能な素材によって構成されており、第一表示面２１と第二表示面２２との境界部分について、山折及び谷折を交互に繰り返すようにして折り曲げることで、第一方向向きの第一表示面２１と第二方向向きの第二表示面２２とを有する表示面２０が形成されているのであるが、表示面構成材５０の裏面を保持台３０に固着することで、複数の第一表示面２１及び複数の第二表示面２２の夫々の向きが、安定して一定に保たれている。具体的に、保持台３０は、発泡スチロール等の軽量で適度な剛性を有する素材からなり、表示面構成材５０側の表面形態が、山折と谷折とを交互に繰り返して蛇腹状に折り曲げられた表示面構成材５０の裏面の形態と同様な形態となっている。すなわち、保持台３０の表面は、表示面構成材５０の表示面２０と同様に、山折形状及び谷折形状を交互に繰り返した形態となっている。そして、この保持台３０の表面に、シートの両面に粘着材を有する所謂「両面テープ」を介して、表示面構成材５０の裏面が固着されている。
【００２２】
なお、表示面構成材５０の裏面を保持台３０に固着して第一表示面２１及び第二表示面２２の向きを固定する場合には、第一表示面２１の裏面及び第二表示面２２の裏面の全てを保持台３０に固着する必要はなく、第一表示面２１及び第二表示面２２のうち、一方の裏面を固着したり、適宜間隔をあけて、表示面構成部材５０の裏面を部分的に保持台３０に固着してもよい。また、固着手段としては、両面テープに限らず、接着剤を用いる等、他の固着手段を適用してもよい。
【００２３】
ところで、本例では、適宜間隔で上下方向に並設された複数の保持台３０の表面に表示面構成材５０を固着しているが、これに限らず、保持台３０として、表示面構成材５０と同面積の板状のものを採用したり、表示面構成材５０の外縁形状に合致した形態の枠状のものを採用してもよい。このような保持台３０を採用することで、広告表示体１０全体の剛性を良好に確保することができ、基台４０を省略することができる。また、表示面構成材５０が縦方向の折り目を有する蛇腹状の形態となっていることから、表示面構成材５０自体にて縦方向の剛性が高められている。よって、表示面構成材５０自体によって縦方向の剛性を十分に確保できる場合には、表示面構成材５０の裏面に、上下方向に適宜間隔を介して、幅方向に延びる保持台３０を配設することで、表示面構成材５０の幅方向の剛性を確保することとして、基台４０を省略することもできる。
【００２４】
また、本例では、表示面構成材５０の両側の端部を、表示面２０から延出させており、この延出部分を基台４０の裏側へと折り返して基台４０の裏面に固着してある。これにより、広告表示体１０の両側部において、保持台３０の端面及び基台４０の端面が表示面構成材５０によって被覆され、側方から広告表示体１０を見た場合の美観が向上する。
【００２５】
次に、上述した広告表示体１０の製造方法について、図３に基いて説明する。
【００２６】
まず、図３（ａ）に示すように、紙や樹脂シート等、折り曲げ可能なシート状の素材からなる表示面構成材５０を平らな状態とし、図３（ｂ）に示すように、表示面構成材５０の平坦な表面に、「インクジェットプリント」、「輪転機や転写版等の適宜の版を用いたオフセット印刷」等、適宜の印刷手法によって第一パターンの絵図柄５１と第二パターンの絵図柄５２とを印刷する（印刷工程）。この印刷工程により、表示面構成材５０の表面には、第一パターンの絵図柄５１と、第二パターンの絵図柄５２とが、第一表示面２１及び第二表示面２２の幅寸法の間隔で、幅方向に交互に互い違いに描かれる。
【００２７】
次に、表面に印刷が施された表示面構成材５０の表面に折り目形成型を押圧して、図３（ｃ）に示すように、第一パターンの絵図柄５１と第二パターンの絵図柄５２との境界部分に、縦方向の折り目５３を形成する（折り目形成工程）。なお、折り目５３は、表示面構成材５０の厚みを折り目形成型によって局部的に圧縮することで形成される。このような折り目形成工程を経た表示面構成材５０では、第一表示面２１及び第二表示面２２の幅寸法と同寸法の間隔で、縦方向の折り目５３が形成される。
【００２８】
次に、図示は省略するが、折り目５３が設けられた表示面構成材５０に対して、折り目５３に沿って山折及び谷折を交互に繰り返すと、表示面構成材５０は蛇腹状になる（折曲工程）。そして、このように蛇腹状に折り曲げられた表示面構成材５０は、山折部分と谷折部分との間に、第一パターンの絵図柄５１が描かれた第一表示面２１、及び、第二パターンの絵図柄５２が描かれた第二表示面２２が交互に配設された形態となり、その表面によって、２種類の絵図柄が描かれた表示面２０が形成される。
【００２９】
最後に、図示は省略するが、予め基台４０に固着された保持台３０の表面に、表示面構成材５０を、表示面２０を表側として固定して、図１に示したような広告表示体１０を形成する（表示面構成材固定工程）。
【００３０】
なお、屋外に設置される広告表示体１０等においては、表示面２０に耐候性を持たせるために、薄い透明な樹脂シートを表示面２０全面に貼着して表示面２０を被覆する所謂「ラミネート加工」を施したい場合がある。この場合には、印刷工程の後であって、折り目形成工程の前にラミネート加工を施す（ラミネート工程）のがよい。表示面構成材５０が折り目５３のない状態であれば、その表面にラミネート加工を良好に施すことができるからである。
【００３１】
ところで、表示面２０の山折形状の角度及び谷折形状の角度は、適宜設定することができるが、夫々の角度が１２０°以上であると、正面方向から６０°以上といったように大きく傾いた位置から見ないと、第一表示面２１の第一パターンの絵図柄５１や第二表示面２２の第二パターンの絵図柄５２を明確に見ることができなくなる。よって、表示面２０の山折形状の角度及び谷折形状の角度については、大きくても９０°とする、換言すれば、９０°以下とするのが好適である。
【００３２】
一方、表示面２０の山折形状の角度及び谷折形状の角度が３０°以下であると、正面方向から１５°といったように僅かに傾いた位置にて、第一表示面２１の第一パターンの絵図柄５１や第二表示面２２の第二パターンの絵図柄５２を明確に見ることができるようになる。しかしながら、それ以上傾いた位置から見た場合に、谷折形状の底の部分に描かれた絵図柄が隣接する山折形状部分に大きく隠されてしまい、第一表示面２１の第一パターンの絵図柄５１や第二表示面２２の第二パターンの絵図柄５２を良好に見ることができなくなる。よって、表示面２０の山折形状の角度及び谷折形状の角度については、少なくとも６０°とする、換言すれば、６０°以上とするのが好適である。
【００３３】
また、第一表示面２１と第二表示面２２とを、正面方向に対して同等に傾いた方向に向かう面とするに限らず、一方を正面方向に対して４５°で傾いた方向に向かう面とし、他方を正面方向に対して６０°で傾いた方向に向かう面とする等、正面方向に対して異なる角度で傾く方向に向かう面としてもよい。このようにすることで、広告表示体１０を斜めから見た場合に、右側から見た場合と左側から見た場合とで、第一表示面２１の第一パターンの絵図柄５１と第二表示面２２の第二パターンの絵図柄５２とが明確に見える角度を変えることができる。これにより、例えば広告表示体１０が店舗の隅に置かれる等、広告表示体１０を左右両側方から見る者の位置が正面方向に対して対称に位置しない状況下でも、絵図柄を見せたい対象者に対して的確に絵図柄を表示することができる。
【００３４】
次に、図４に、本発明に係る広告表示体１０の別例を示す。この広告表示体１０は、保持台３０の形態が異なる他は、上述の例と同様な構成を有するものである。
【００３５】
図４に示す広告表示体１０では、保持台３０が、夫々、ＡＢＳ樹脂等、十分な剛性を有する樹脂等の素材により形成された上下一対の下保持台３１と上保持台３２とから構成されている。そして、下保持台３１は、基台４０の上端及び下端の夫々に、上辺及び下辺の夫々に沿って固着されており（図４においては、下端側を省略してある）、上保持台３２は、その裏面と下保持台３１の上面との間に表示面構成材５０を挟み込むようにして、下保持台３１に一体化されている。
【００３６】
ここで、下保持台３１及び上保持台３２の双方は、蛇腹状の表示面構成材５０と同様に、山折形状及び谷折形状を交互に繰り返した山谷形状部分を有しており、この山谷形状部分に表示面構成材５０を挟み込んで固定することで、第一表示面２１及び第二表示面２２の夫々の向きが堅固に固定されている。
【００３７】
なお、下保持台３１と上保持台３２とは、一方（本例では下保持台３１）に設けられた凸部３３と、他方（本例では上保持台３２）に設けられた凹部３４との凹凸嵌合によって、堅固に一体化されているが、下保持台３１と上保持台３２との相互の当接面に接着剤を介在させることで、より一層堅固な一体化を実現することができる。また、表示面構成材５０を挟み込むだけで固定することとしてもよいが、下保持台３１または上保持台３２の少なくとも一方（好適には両方）の山谷形状部分の表面と表示面構成５０との間に、両面テープや接着剤を介在させて、より堅固に固定することとしてもよい。
【００３８】
このような保持台３０は、広告表示体１０の上下の枠となり、広告表示体１０の上下の端面をスッキリとさせることができる。また、本例では、上保持台３２に設けられた凹部３４が非貫通状となっており、凹部３４が上保持台３２の表面に露呈することがなく、十分な美観が確保されているが、凹部３４を貫通状のものとしてもよい。さらに，本例では、広告表示体１０の左右両側の端部について、表示面構成材５０の端部が保持台３０の端部と一致しており、保持台３０や基台４０の両端面が露呈するものとしてあるが、表示面構成材５０を、保持台３０の左右両端部よりも延出するものとして、表示面構成材５０の両端部分を基台４０の裏面側に折り返すことで、上述の例と同様に、表示面構成材５０によって保持台３０や基台４０の端面を被覆し、左右両端部分をスッキリとさせてもよい。
【図面の簡単な説明】
【００３９】
【図１】本発明に係る広告表示体の一例を示す図であり、（ａ）は正面図、（ｂ）は平面図である。
【図２】図１に示した広告表示体を斜めから見た図であり、（ａ）は右斜めから見た斜視図、（ｂ）は左斜めから見た斜視図である。
【図３】図１に示した広告表示体の製造工程を示す工程図である。
【図４】本発明に係る広告表示体の別例を示す要部分解斜視図である。
【符号の説明】
【００４０】
１０  広告表示体
２０  表示面
２１  第一表示面
２２  第二表示面
３０  保持台
３１  下保持台
３２  上保持台
３３  凸部
３４  凹部
４０  基台
５０  表示面構成材
５１  第一パターンの絵図柄
５２  第二パターンの絵図柄
５３  折り目
【図１】
2007086656.tif 000003
【図２】
2007086656.tif 000004
【図３】
2007086656.tif 000005
【図４】
2007086656.tif 000006